(57)【要約】【課題】加熱室の開口部を開閉する縦開きのドアを開いた状態で調理皿をドアの先端部まで引き出したときに、調理皿の一部が加熱室内に残るように構成することにより、調理皿をスムーズに加熱室に出し入れすることのできる加熱調理器を提供すること。【解決手段】本体部２内に設けられ前面が開口された加熱室３、加熱室３内に収納された被調理物を加熱する加熱手段１５、下端部がヒンジ２６を介して本体部２に連結され加熱室３の前面開口部を開閉するドア２５、及び被調理物が載置されて加熱室３内に出し入れされる調理皿３５を有し、ドア２５をほぼ水平になるまで開放したときの加熱室３の前面部からドア２５の先端部までの寸法を、加熱室３の奥行寸法より短かく構成した。【選択図】図４
2012042080.tif 000002
【特許請求の範囲】
【請求項１】
本体部内に設けられ前面が開口された加熱室、該加熱室内に収納された被調理物を加熱する加熱手段、下端部がヒンジを介して前記本体部に連結され前記加熱室の前面開口部を開閉するドア、及び前記被調理物が載置されて前記加熱室内に出し入れされる調理皿を有し、
前記ドアをほぼ水平になるまで開放したときの前記加熱室の前面部から該ドアの先端部までの寸法を、前記加熱室の奥行寸法より短かく構成したことを特徴とする加熱調理器。
【請求項２】
前記調理皿をドアの先端部まで引き出したときに、該調理皿の中心部が前記加熱室の前面部より前側に位置するように構成したことを特徴とする請求項１記載の加熱調理器。
【請求項３】
前記本体部の天面の奥行寸法が、前記調理皿の奥行寸法より長いことを特徴とする請求項１又は２記載の加熱調理器。
【請求項４】
前記ドアの上面板に、前記調理皿を停止させる突出部を設けたことを特徴とする請求項１〜３のいずれかに記載の加熱調理器。
【発明の詳細な説明】
【技術分野】
【０００１】
本発明は、加熱調理器に係り、より詳しくは、被調理物が載置された調理皿を加熱室に収納し、加熱手段により加熱して調理を行う加熱調理器に関するものである。
【背景技術】
【０００２】
従来の加熱調理器に、加熱室の底板に、底板を固定した接着剤の盛り上り高さかそれより僅かに高い突部を設け、調理皿を突部に接触した状態で加熱室に挿脱可能に構成し、調理皿が接着剤に接触して剥れたりするのを防止するようにしたものがある（例えば、特許文献１参照）。
【先行技術文献】
【特許文献】
【０００３】
【特許文献１】特許第３７３１８２４号公報（第４−５頁、図１−５）
【発明の概要】
【発明が解決しようとする課題】
【０００４】
特許文献１の加熱調理器は、調理皿を突部に載置して出し入れするようにしているので、接着剤が剥れたりするのを防止できるが、調理皿を加熱室の奥行寸法以上に引き出すと突部から脱落してしまうため、再度調理皿を加熱室に収納する場合は、調理皿を一旦取出したのち突部に載置しなければならず、面倒であった。
【０００５】
本発明は、上記の課題を解決するためになされたもので、加熱室の開口部を開閉する縦開きのドアを開いた状態で調理皿をドアの先端部まで引き出したときに、調理皿の一部が加熱室内に残るように構成することにより、調理皿をスムーズに加熱室に出し入れすることのできる加熱調理器を提供することを目的としたものである。
【課題を解決するための手段】
【０００６】
本発明に係る加熱調理器は、本体部内に設けられ前面が開口された加熱室、該加熱室内に収納された被調理物を加熱する加熱手段、下端部がヒンジを介して前記本体部に連結され前記加熱室の前面開口部を開閉するドア、及び前記被調理物が載置されて前記加熱室内に出し入れされる調理皿を有し、前記ドアをほぼ水平になるまで開放したときの前記加熱室の前面部から該ドアの先端部までの寸法を、前記加熱室の奥行寸法より短かく構成したものである。
【発明の効果】
【０００７】
本発明によれば、加熱室の開口部を開閉する縦開きのドアを開いた状態で調理皿をドアの先端部まで引き出したときに、調理皿の一部が加熱室内に残るので、調理皿をスムーズに加熱室に出し入れすることができ、使い勝手のよい加熱調理器を得ることができる。
【図面の簡単な説明】
【０００８】
【図１】本発明の実施の形態１に係る加熱調理器の外観斜視図である。
【図２】図１の縦断面図である。
【図３】図２のＡ部の拡大図である。
【図４】図１のドアを開き調理皿を引き出した状態を示す断面図である。
【図５】調理皿全体を加熱室から引き出してドア上に載置した状態を示す説明図である。
【図６】本発明の実施の形態２に係る加熱調理器のドアの要部を示す断面図である。
【発明を実施するための形態】
【０００９】
［実施の形態１］
図１は本発明の実施の形態１に係る加熱調理器の外観斜視図、図２は図１の縦断面図、図３は図２のＡ部の拡大図、図４は図１のドアを開き調理皿を引き出した状態を示す断面図である。
図１〜図４において、２は加熱調理器１の外郭を構成する箱状の本体部で、この本体部２内には、一方の側に片寄って加熱室３が設けられている。
【００１０】
この加熱室３は左右の側壁４ａ，４ｂ、後面を覆う後壁５、上面を覆う天壁６及び凹状に曲げ加工された凹状部８を有し、下面を覆う底面７からなり、前面が開口された箱状に形成されている。９は側壁４ａ，４ｂに対向して設けられて、後述の調理皿が載置される１段又は複数段（図には１段の場合が示してある）の載置棚である。
【００１１】
１０は加熱室３の底面７の凹状部８内に配設され、接着剤１１により底面７に接合されたセラミック等の非誘電材料からなる底板で、底面７より若干小さく形成されている。そして、底面７の底板１０の両側には、奥行方向に向って、接着剤１１の盛り上り高さとほぼ等しいか、又はこれより若干高い突部７ａが設けられている。
【００１２】
１２は底板１０の下方において凹状部８内に配設された回転アンテナで、加熱室３と回転アンテナ１２が存在する領域とは、底板１０によって仕切られている。１３は回転アンテナ１２を回転駆動するモータである。
１５は加熱室３の側壁４ｂの横方向に設置されてマイクロ波を発振する加熱手段であるマグネトロン、１６はマグネトロン１５の下部から加熱室３の下部にかけて左右方向に延在する導波管で、回転アンテナ１２が存在する領域を介して加熱室３と連通している。
【００１３】
そして、マグネトロン１５から発振されたマイクロ波は、導波管１６内を経てモータ１３により回転駆動される回転アンテナ１２により拡散され、加熱室３内の全体にまんべんなく放出される。また、側壁４ｂの上部には図示しないマイクロ波放出口が設けられており、このマイクロ波放出口からもマグネトロン１５から発振されたマイクロ波が加熱室３に放出される。これにより、加熱室３内の調理皿に載置された被調理物は、下方と上方からまんべんなく加熱され、好適に調理される。
【００１４】
１７は加熱室３の上面に設けた上ヒータ、１８は同じく下面に設けた下ヒータ、１９は背面に設けた奥ヒータで、奥ヒータ１９の下部にはファン２０が設けられており、各ヒータ１７〜１９の発熱とファン２０による循環とによって、加熱室３内を均一に加熱してオーブン調理を行う。なお、２１は本体部２の底部の四隅に設けた支持脚である。
【００１５】
２５は下部がヒンジ２６により加熱室３の開口部の下端部に連結され、加熱室３の前面開口部を開閉する縦開きのドアで、上部にはハンドル２７が設けられている。そして、図４に示すように、ドア２５をほぼ水平になるまで開いたときの、ドア２５の先端部から加熱室３の前縁部までの寸法Ｌ1は、加熱室３の奥行寸法Ｌより短かく、Ｌ＞Ｌ1に形成されている。
【００１６】
３１は加熱室３の側部（マグネトロン１５等が設けられた領域）の前面開口部を覆う前面パネルで、電源スイッチや使用者が調理情報を入力するための操作手段等を備えた操作部３２が設けられている。
【００１７】
３５は被調理物を載置する調理皿で、その長さは加熱室３の奥行寸法Ｌとほぼ等しいか又はこれより若干短かく、その幅は加熱室３の左右方向の寸法とほぼ等しいか又はそれより若干狭く、ほぼ長方形状に形成されている。そして、加熱室３の底面７に設けた突部７ａの上に載置され、突部７ａ上を摺動して加熱室３内に出し入れするようになっており、そのため、調理皿３５の加熱室３への出し入れがスムーズで、接着剤１１に当って接着剤１１が剥れたり劣化したりすることはない。なお、調理物によっては調理皿３５を載置棚９に載置して調理を行うこともある。
【００１８】
このように構成した調理皿３５は、図４に示すように、ドア２５をほぼ水平になるまで開放し、ドア２５に沿ってドア２５の先端部まで引き出しても、その一部が加熱室３内に残っているため、調理皿３５を再度加熱室３内に収納する場合は、そのまま突部７ａ上を摺動させて押し込めばよいので、容易かつスムーズに移動させ収納することができる。
【００１９】
また、調理皿３５をドア２５の先端部まで引き出したときに、調理皿３５の奥行方向の半分以上が加熱室３から露出している。つまり、調理皿３５の奥行方向のほぼ中心部が加熱室３の前縁部より前側に位置しているので、被調理物を調理皿３５に容易に載置することができる。
【００２０】
さらに、図５に示すように、調理皿３５全体を加熱室３から引き出してドア２５上に載置すると、調理皿３５の一部がドア２５の先端部から突出するので、この突出部が使用者の手を掛ける部分になり、調理皿３５を容易に取り出すことができる。特に、オーブン調理等を行う場合は、使用者は調理皿３５を取り出すときに、火傷防止のためにミトン等の保護具を手に装着して行う場合が多いが、このような場合、この突出部分を持てばよいので、大変持ち易い。
【００２１】
また、本体部２の天面２ａは、その奥行寸法が調理皿３５の奥行寸法より長く形成されており、調理皿３５を載置するのに十分なスペースが確保されているので、ドア２５を閉じた状態でも調理皿３５を天面２ａに載置することにより、被調理物の載置等の調理の準備などを容易に行うことができる。
【００２２】
本実施の形態によれば、本体部２の加熱室３の開口部に設けた縦開きのドア２５を開いた状態で、調理皿３５をドア２５の先端部まで引き出したときに、調理皿３５の一部が加熱室３内に残るように構成したので、調理皿３５を加熱室３にスムーズに出し入れすることができ、使い勝手のよい加熱調理器を得ることができる。
【００２３】
［実施の形態２］
図６は本発明の実施の形態２に係る加熱調理器のドアの要部を示す断面図である。なお、実施の形態１と同じ部分には、これと同じ符号を付してある。
本実施の形態は、実施の形態１における加熱調理器１のドア２５の上面板２８の縁部の幅方向の全長又はその一部に、ストッパ機能を有する突出部２９を設けたものである。
【００２４】
このように構成したドア２５によれば、調理皿３５をドア２５に沿って加熱室３から引き出したときに、その先端部が突出部２９に当って停止するため、調理皿３５に必要以上に引き出されることがなく、その一部が常に加熱室３内に残った状態とすることができる。
【００２５】
本実施の形態によれば、実施の形態１の場合と同様な効果に加えて、加熱室３から引き出した調理皿３５を常に所定の位置に停止させることができるので、調理皿３５を加熱室３にスムーズに出し入れすることができると共に、ドア２５からの脱落を防止することができる。
【００２６】
上記の説明では、図示の加熱調理器に本発明を実施した場合を示したが、これに限定するものではなく、例えば、本体部の前面全体が開口部となってこの開口部を開閉するドアを有し、ドアの下部に操作部が設けられた加熱調理器など、他の構造の加熱調理器にも本発明を実施することができる。
【符号の説明】
【００２７】
１  加熱調理器、２  本体部、２ａ  本体部の天面、３  加熱室、７  底面、７ａ  突部、８  凹状部、１０  底板、１１  接着剤（盛り上り部）、１２  回転アンテナ、１５  マグネトロン（加熱手段）、１６  導波管、２５  ドア、２６  ヒンジ、２８  上面板、２９  突出部、３１  前面パネル、３２  操作部、３５  調理皿。
【図１】
2012042080.tif 000003
【図２】
2012042080.tif 000004
【図３】
2012042080.tif 000005
【図４】
2012042080.tif 000006
【図５】
2012042080.tif 000007
【図６】
2012042080.tif 000008